(57)【要約】【課題】様々な物品を効率よく収納して、限られたスペースをより有効に活用できるようにした収納装置を提供すること。【解決手段】複数のベルト部材と、該複数のベルト部材間に差し渡され取り付けられる収納部材とを備え、該収納部材は取付手段を備えており、該取付手段は、前記ベルト部材を挟持することによりベルト部材に取り付け可能となされたものであって、これにより、収納部材をベルト部材に対して着脱自在に取り付け可能とした。また、前記取付手段は、可撓性を有する薄肉部を介して連設された２つの把持体を備え、前記薄肉部を折り曲げて２つの把持体の対向する面同士がベルト部材を挟持して互いに向かい合うようになされると共に、２つの把持体は互いに係脱自在な係合部を備えており、当該係合部を係合させて、両把持体がベルト部材を挟持するようにした。【選択図】  図１
2012016404.tif 000002
【特許請求の範囲】
【請求項１】
複数のベルト部材と、該複数のベルト部材間に差し渡され取り付けられる収納部材とを備え、
該収納部材は取付手段を備えており、
該取付手段は、前記ベルト部材を挟持することによりベルト部材に取り付け可能となされたものであって、
これにより、収納部材をベルト部材に対して着脱自在に取り付け可能としたことを特徴とする収納装置。
【請求項２】
取付手段は、可撓性を有する薄肉部を介して連設された２つの把持体を備え、
前記薄肉部を折り曲げて２つの把持体の対向する面同士がベルト部材を挟持して互いに向かい合うようになされると共に、
２つの把持体は互いに係脱自在な係合部を備えており、当該係合部を係合させて、両把持体がベルト部材を挟持するようにして把持するようにしたことを特徴とする請求項１記載の収納装置。
【発明の詳細な説明】
【技術分野】
【０００１】
本発明は、収納装置に関するものであり、より詳しくは、クローゼット内やドアの壁面、スチールラックの側面などの空いたスペースを有効に利用して様々な物品を収納できるようにした収納装置に関するものである。
【背景技術】
【０００２】
従来から、スペースの有効活用を図った収納装置、収納用具が様々に工夫されてきている。特に、日本の住宅事情を考慮すれば、限られた居住空間の中であまり上手に活用されていない所謂デッドスペースを有効活用することは非常に重要であり、それゆえ、そのようなデッドスペースを利用した収納装置等が多く提案されてきている。
【０００３】
そのような収納装置として、例えば、本出願の出願人は、下記特許文献１に記載の収納装置を既に提案している。特許文献１に記載の収納装置は、クローゼット内の空間を有効に利用するためのものであり、収納スペース内に吊り下げられる複数のベルトと、前記複数のベルト間に差し渡され該ベルトに対して着脱自在に固定される収納部とを備え、前記ベルトは、長手方向に所定の間隔を空けて複数の係止孔が形成されており、前記収納部は、任意の前記係止孔に着脱自在に固定されることによって、複数のベルト間に差し渡され、取り付けられていることを特徴とするものである。
【０００４】
この特許文献１に記載の発明によれば、収納部がベルトの係止孔に対して着脱自在となっているため、簡単に収納部の配置変更を行うことができ、それゆえ確かにクローゼット内などのスペースを有効に活用して様々な物品を収納することができる。
【先行技術文献】
【特許文献】
【０００５】
【特許文献１】特開２０１０−０８２２９３号公報
【発明の概要】
【発明が解決しようとする課題】
【０００６】
ところが、この特許文献１に記載の収納装置においては、係止孔の間隔でしか収納部の配置を調節することができない。それゆえ、収納する物品の大きさ等に応じて収納部の配置を変更するにも限界がある。この点、例えば係止孔間の間隔を狭くしてより多くの係止孔を形成することも考えられるが、そのようにすると外観（美観）が損なわれ、またベルト部材の強度が落ちてしまう。
【０００７】
（なお、特許文献１に記載の収納装置においては、例えば左右２本のベルト間に収納部を取り付ける際、左右のベルトの取付箇所の形状等が異なる場合には、左右のベルトに形成された係止孔の高さが不揃いとなり、収納部が水平になるように取り付けることができない可能性がある。）
【０００８】
ある程度重量のある物品を収納する場合には、係止孔に収納部が取り付けられている特許文献１に記載の収納装置は、収納部が脱落する恐れが少なく優れたものとなっている。しかしながら一方、比較的軽い物品を、収納部をよりフレキシブルに配置変更して効率よく収納できるようにすることが求められている。
【０００９】
本発明は、上記のような課題を解決するためになされたものであり、様々な物品を効率よく収納して、限られたスペースをより有効に活用できるようにした収納装置を提供することを目的とする。
【課題を解決するための手段】
【００１０】
上記の課題を解決するため、本発明に係る収納装置は、複数のベルト部材と、該複数のベルト部材間に差し渡され取り付けられる収納部材とを備え、該収納部材は取付手段を備えており、該取付手段は、前記ベルト部材を挟持することによりベルト部材に取り付け可能となされたものであって、これにより、収納部材をベルト部材に対して着脱自在に取り付け可能としたことを特徴とする。
【００１１】
ここで、上記「収納部材」は、ベルト部材間に差し渡して取り付け可能であって、衣服やバッグ、小物等の物品を収納可能であればどのような形状のものでもよく、例えば棚状の部材であってもよいし、ボックス形状の部材、或いは棒状の部材などであってもよい。
【００１２】
本発明の収納装置によれば、取付手段がベルト部材を挟持するものとなされているので、収納部材をベルト部材の任意の位置に取り付けることが可能となる。それゆえ、収納する物品の形状や大きさなどに応じて収納部材の取付位置を自由に変えることができ、また、収納部材のベルト部材への取り付けが容易なものとなる。
【００１３】
本発明に係る収納装置において、取付手段は、可撓性を有する薄肉部を介して連設された２つの把持体を備え、前記薄肉部を折り曲げて２つの把持体の対向する面同士がベルト部材を挟持して互いに向かい合うようになされると共に、２つの把持体は互いに係脱自在な係合部を備えており、当該係合部を係合させて、両把持体がベルト部材を挟持するようにして把持するようにしてもよい。
【００１４】
このようにすれば、係合部を係合させるだけで収納部材をベルト部材に取り付けることができるので、収納部材の着脱が非常に容易となる。
【発明の効果】
【００１５】
以上のとおり、本発明に係る収納装置によれば、取付手段がベルト部材を挟持するものとなされているので、収納部材をベルト部材の任意の位置に取り付けることが可能となる。それゆえ、収納する物品の形状や大きさなどに応じて収納部材の取付位置を自由に変えることができ、また、収納部材のベルト部材への取り付けが容易なものとなる。
【００１６】
また、前記取付手段を、可撓性を有する薄肉部を介して連設された２つの把持体を備えるものとし、前記薄肉部を折り曲げて２つの把持体の対向する面同士がベルト部材を挟持して互いに向かい合うようになされると共に、２つの把持体は互いに係脱自在な係合部を備えており、当該係合部を係合させて、両把持体がベルト部材を挟持するようにして把持するようにすれば、係合部を係合させるだけで収納部材をベルト部材に取り付けることができるので、収納部材の着脱が非常に容易となる。
【図面の簡単な説明】
【００１７】
【図１】本発明に係る収納装置の一実施形態を示す図であり、その使用状態を示した斜視図である。
【図２】図１における収納部材（ウォールポケット）を示す（ア）は正面側から見た斜視図であり、（イ）は背面側から見た斜視図である。
【図３】図１におけるクリップフックの（ア）は正面側から見た斜視図、（イ）は背面側から見た斜視図である。
【図４】図１の実施形態におけるクリップフックを示す（ア）は正面側から見た斜視図であり、（イ）は背面側から見た斜視図である。
【図５】図４のクリップフックをベルト本体に取り付ける際の手順を示す説明図である。
【図６】図４のクリップフックを実際にベルト本体に取り付ける様子を示す説明図であって、（ア）〜（エ）は、正面側から見た斜視図であり、（カ）〜（ケ）はそれぞれ（ア）〜（エ）を背面側から見た斜視図である。
【図７】図１の実施形態におけるハンガーバーがベルト本体に取り付けられた状態を示す斜視図である。
【図８】図７のハンガーバーにおけるクリップ保持具の（ア）は正面側から見た斜視図、（イ）は背面側から見た斜視図である。
【図９】図７のハンガーバーを実際にベルト本体に取り付ける様子を示す説明図であって、（ア）〜（ウ）は、正面側から見た斜視図であり、（カ）〜（ク）はそれぞれ（ア）〜（ウ）を背面側から見た斜視図である。
【図１０】本発明に係る収納装置の別の一実施形態を示す図であり、その使用状態を示す斜視図である。
【図１１】図１０の収納装置におけるベルト部材をドアに取り付けた状態を示す斜視図である。
【図１２】図１０の収納装置における取付金具を示す斜視図である。
【図１３】図１０の収納装置において、取付金具にベルト本体を取り付ける手順を示す説明図である。
【図１４】図１０の収納装置において、取付金具をドアの上端に取り付ける様子を示す説明図である。
【図１５】図１０の収納装置において、ベルト本体及び取付金具をドアにしっかりと固定する様子を示す説明図である。
【図１６】図１０の収納装置において、ドアを閉めた状態を示す説明図である。
【発明を実施するための形態】
【００１８】
以下、本発明を実施するための形態を、図面を参照して説明する。
【実施例１】
【００１９】
図１は、本発明に係る収納装置の一実施形態を示すものであり、この実施形態における収納装置１は、２本のベルト部材２、２と、当該２本のベルト部材２、２間に差し渡されて取り付けられた収納部材３、４、５とにより構成されている。ベルト部材２は、いずれも水平杆Ｐから吊り下げられており、当該ベルト部材間に収納部材３、４、５が取り付けられて、この収納部材３、４、５に様々な物品を収納できるようになされたものである。
【００２０】
ベルト部材２は、この実施形態においては、ポリプロピレン製の織物で形成された長尺のベルト本体２１の一端部に、略四角形状をした金属製のリング部材（所謂角カン）２２が取り付けられてなるものである。このベルト本体２１を水平杆Ｐの周囲に回すようにしたのち、リング部材２２にバンド本体２１の他端部を挿通させ、当該他端部を下方に引っ張るようにして、ベルト部材２１は水平杆Ｐに吊り下げられる。当該ベルト本体２１は、可撓性があり所定の強度を備えていれば任意の材料にて形成できるものであり、またリング部材２２は、角カンに限定されず、任意の形状のものを適宜選択して用いることが可能である。
【００２１】
ベルト部材２、２間に取り付けられた収納部材３は、ウォールポケットである。ウォールポケット３は、四角形状の背面布３１の前面に計５つの収納ポケット３２を形成したものであり、この収納ポケット３２に雑誌や書類、小物などを入れて整理することができるものである。このウォールポケット３は、図１および図２に示すとおり、取付手段であるクリップフック７によってベルト部材２に取り付けられている。以下、クリップフック７について、図３以下を参照しながら、より詳細に説明する。
【００２２】
図３は、クリップフック７をベルト部材２に取り付けた状態を示すものである。クリップフック７は、ベルト本体２１をその表裏面から挟持するようにして把持する把持部７１と、把持部７１の壁面から突出するように一体的に形成され、物品を引っ掛けて吊るすことが可能な形状としたフック部７２とを備えている。ウォールポケット３は、その背面布３１の左右両端かつ上端部近傍に形成された係止孔３３をクリップフック７のフック部７２に引っ掛けることにより、図１および図２に示すように、ベルト部材２に吊り下げられている。
【００２３】
図４は、この実施形態におけるクリップフック７の展開図である。クリップフック７は、上述のとおり把持部７１とフック部７２とからなる。把持部７１は、可撓性を有する薄肉部７１３を介して連設された２つの把持体（第一把持体７１１及び第二把持体７１２）を備えており、当該薄肉部７１３を折り曲げると２つの把持体の対向する面同士がベルト本体２１を挟持して互いに向かい合うようになされている。
【００２４】
図４（イ）に示すように、この両把持体７１１、７１２の相対向する面には、それぞれ相対向する面の方向へ突出する多数の突起部７１１ａ、７１２ａが形成されている。この実施形態においては、突起部７１１ａ、７１２ａは、それぞれ把持体７１１、７１２の壁面から略円すい台形状に突出したものとなされ、全ての突起部（円すい台）７１１ａ、７１２ａの軸線は互いに同軸ではなく、第一把持体７１１に形成された突起部７１１ａの先端面と、第二把持体７１２に形成された突起部７１２ａの先端面とは突き合わされることがない。また、薄肉部７１３を折り曲げて２つの把持体の対向する面同士がベルト本体２１を挟持して互いに向かい合うようにした状態において、円すい台の高さは、いずれも両把持体の相対向する面の間に生じる隙間の距離の二分の一よりも高くなされている。これにより、把持部７１がベルト本体２１を強く把持することが可能となるので、クリップフック７がベルト部材２に対してしっかりと取り付けられ、容易に脱落しない。
【００２５】
また、両把持体は、それぞれ第一係合部７１５第二係合部７１６を備えており、この両係合部が係合することによって、クリップフック７がベルト本体２１を把持した状態に取り付けられる。第一係合部７１５は、第一把持体７１１の側端部に薄肉部７１８を介して連設されていて、平面視略Ｌ字形状の板状部材となされている。この第一係合部７１５が第二把持体７１２の側端部、すなわち第二係合部７１６に対しこれを覆うようにして係合される。第二係合部７１６は、第二把持体７１２の側端部近傍に、第一係合部７１５の先端部に形成された凸条７１５ａに対して嵌合可能な凹溝７１６ａが形成されている。図４に示すように、凹溝７１６ａは、第二把持体７１２の外側壁面に該壁面を上下方向へ半円柱状に切り抜くようにして形成されている。
【００２６】
次に、図５に従ってクリップフック７の取り付け方を示しながら、この実施形態におけるクリップフック７の構成を再度説明する。尚、本来、クリップフック７は図６に示すようにベルト部材２を挟持するようにして取り付けられるものであるが、説明を分かり易くするため、図５においては敢えてベルト部材２を図示せずに説明をするものである。
【００２７】
図５（ア）にあるように、両把持部によってベルト本体２１を挟持するようにすべく、クリップフック７の薄肉部７１３を折り曲げる（矢印Ｘ）。図５（イ）の矢印Ｙの方向へ更に薄肉部７１３を折り曲げてゆき、両把持体によりベルト本体２１を挟持させた状態（ベルトは図示せず）で薄肉部７１８を折り曲げ、矢印Ｚの方向へ第一係合部７１５を回動させる。そして第一係合部７１５が第二把持体７１２の側端部７１６を覆うようにするとともに、第一係合部７１５に形成された凸条７１５ａが第二係合部７１６の凹溝７１６ａに嵌入するようにして、第一係合部７１５が第二係合部７１６に係合（嵌着）させられる。これによって、クリップフック７は、ベルト部材２にしっかりと取り付けられるのである。
【００２８】
ところで、図３、４に示すように、クリップフック７には、その第一把持体７１１の外側壁面から突出するようにしてフック部７２が一体的に形成されている。この実施形態においては、フック部７２は、第一把持体７１１の外側壁面の略中央下端部近傍から立ち上がり、先ず第一把持体７１１の外側壁面から該外側壁面に対して直交して水平方向へ延び、その先端から屈曲してやや上方へ角度を変えて更に延び、その先端において更に屈曲して上方へ延びる断面略円形状の突出片７２１により形成されている。当該突出片の中間部の周面には、屈曲内側方向へ突出する突起部７２２が複数形成されている。これによってフック部７２に引っ掛けた収納物品が容易にフック部７２から脱落しないようになされている。
【００２９】
さらに、収納物品の脱落を防止するため、図２に示すように、フック部７２の先端には返し部７３１が設けられている。返し部７３１は、嵌入部７３２と一体的に形成された先端キャップ７３の一部であり、クリップフック７の本体（把持体７１及びフック部７２）とは別体として作製されている。先端キャップ７３は、フック部７２の先端に形成された孔部７２５に嵌入部７３２が嵌入されて、フック部７２の先端に取り付けられる。返し部７３１は略円盤形状となされ、フック部７２の「断面略円形状」の円形断面積よりも、断面積が大きいものとなされており、この返し部７３１があることで、フック部７２に引っ掛けた収納物品が抜け落ちないようになされている。
【００３０】
嵌入部７３２は、返し部７３１の下面から垂直に延びる先細りの円柱形状ないし円すい形状となされ、その周面には、当該周面を周回すると共に当該周囲から半径方向に延びて封緘突条７３２ａが上下３段、形成されている。他方、フック部７２の先端には、上方に開口する円柱状の孔部７２５が形成されていて、図５及び図６の（ウ）、（エ）図に示されるとおり、当該孔部７２５に先端キャップ７３の嵌入部７３２が嵌入されて取り付けられる。
【００３１】
尚、この先端キャップ７３は必ずしも取り付けられる必要はない。フック部７２に引っ掛けられ、吊り下げられる物品の大きさ、重さ、あるいは形状によって、必要な場合にのみ取り付けるようにすることもできる。
【００３２】
また、この返し部７３１の形状は、この実施形態の形状に限られず、任意の形状とすることができる。さらに、先端キャップ７３はクリップフック７の本体（把持体７１およびフック部７２）とは別体として作製されているが、クリップフック７の本体と一体的に成形されるようにしてもよい。
【００３３】
この実施形態においては、クリップフック７は、先端キャップ７３を含めポリプロピレンにより作製されているが、これに限られず、同様に成形可能であって所定の強度を備えていれば他の樹脂材料、金属材料、木材、その他任意の材料を適宜選択して用いることが可能である。
【００３４】
図１における収納部材４は、ハンガーバーである。ハンガーバー４には、図１に示すようにＳ字フックＦなどの吊り下げ具を引っ掛けてこれに収納する物品を吊るしたり、ハンガーバー４に直接物品を引っ掛けたりすることができる。
【００３５】
図７に示すように、このハンガーバーは、金属パイプよりなるパイプ材４１と、パイプ材４１の両端部に取り付けられるクリップ保持具４２とからなる。クリップ保持具４２は、上述したクリップフック７の把持部７１と同様の部材４２１において、パイプ材４１の端部を嵌入して保持するためのパイプ保持部４２２を第一把持体の外側壁面に備えるようにしたものであって、当該パイプ保持部４２２には、パイプ材４１を嵌入可能なパイプ保持孔４２２ａが形成されている（図８参照）。
【００３６】
ハンガーバー４は、左右一対のクリップ保持具４２を備えており、それらのパイプ保持４２２部の嵌入孔４２２ａにパイプ材４１を嵌入して保持させて形成されたものであって、図９に示すように、上述したクリップフック７と同様の手順で、ベルト本体２１に取り付けられる。
【００３７】
図１における収納部材５は、収納ボックスである。収納ボックス５は、図１に示すように、背面板５１と、底面板５２と、前面板５３と、左右一対の側板５４とからなり、これらの板状部材に囲まれて形成された空間を収納部５８として、ここに様々な物品を入れることが可能なものである。尚、背面板５１、底面板５２、前面板５３、及び左右一対の側板５４は不織布により一体のものとして形成されるとともに、背面板５１、底面板５２、前面板５３、及び左右一対の側板５４の各板部には硬質の板材が内包されて作製されている。
【００３８】
収納ボックス５は、上述のウォールポケット３と同様、取付手段であるクリップフック７により、ベルト部材２に取り付けられている。すなわち、収納ボックス５の背面板５１の両側端における上端部近傍には、それぞれ係止孔５１１が形成されており、ベルト部材２に取り付けられたクリップフック７のフック部７２に当該係止孔５１１を引っ掛けるようにして、図１に示すように収納ボックス５をベルト部材２に取り付けている。
【００３９】
このようにして形成された図１の収納装置１は、収納部材３、４、及び５のそれぞれに様々な物品を収納できるものであって、各収納部材は任意の位置に取り付け可能であり、かつ着脱自在となっているので、必要や好みなどに応じて取付位置を自在に変更、調節できる。むろん、各収納部材３、４、及び５の上下位置を入れ替えるなどすることも自在である。
【実施例２】
【００４０】
図１０は、本発明に係る収納装置の別の実施形態を示す図である。この実施形態における収納装置は、実施例１に示した実施形態の収納装置と共通する部分も多いため、主に実施例１の収納装置と相違する点について説明をするものとする。
【００４１】
図１０に示すように、この実施形態における収納装置１は、ドアＤの壁面に取り付けられており、その取り付けのための構成が実施例１における収納装置１と異なっている。収納部材３、４、５およびそれらの取付方法等については共通するので、ここでは説明を省略する。
【００４２】
この実施形態におけるベルト部材２は、ポリプロピレン製の織物で形成された長尺のベルト本体２５と、その上端および下端に設けられた取付金具２６とからなる。
【００４３】
このベルト本体２５は、図１１に示すように、この取付金具２６がドアＤの上下端からドアＤを挟持するようにして、ドアＤの壁面に取り付けられる。
【００４４】
取付金具２６は、スチールを樹脂で被覆した板状体から作製され、図１２に示すように、ドアＤの上下縁部を跨ぐように係止させてドアＤの上下縁部に取り付け可能としたコの字形状のドア係止部２６１と、ベルト本体２５を挿通すると共にベルト本体２５を所定の長さに調節して固定することができる長さ調節手段２６２とを一体に形成して構成されている。
【００４５】
より具体的には、ドア係止部２６１は、ドアＤの上端面に接してドアを挟持する挟持部２６１ａと、挟持部２６１ａの端部から該挟持部２６１ａと直交して延び、収納装置１がドアから脱落しないようにドアＤの背面側、即ちベルト部材２を取り付けない側に引っ掛けられる背面部２６１ｂと、挟持部２６１ａの端部から該挟持部２６１ａと直交してドアの正面側、即ちベルト本体２５を取り付ける側に延びる正面部２６１ｃとからなる。
【００４６】
そして、正面部２６１ｃには、長さ調節手段２６２が形成されている。すなわち、取付金具２６の正面部２６１ｃの下部近傍に、ベルト本体２５よりも若干幅広な略四角形状の孔を形成して、ベルト本体２５を挿通する挿通孔２６２ａとなしている。さらに、取付金具２６に一体に形成され、ブリッジ状にドアの正面側（正面部２６１ｃのドアに接しない面の側）に突出して当該挿通孔２６２ａの左右両端部を接続するブリッジ２６２ｂが設けられている。
【００４７】
これにより、図１３の（ア）〜（ウ）に示すように、先ず正面部２６１ｃの背面側から挿通孔２６２ａにベルト本体２５の端部を挿通させた後、ブリッジ２６２ｂを跨ぐようにして、再度ベルト本体２５の端部を正面側から挿通孔２６２ａに挿通させて、ベルト本体２５の両端部に取付金具２６が取り付けられる。
【００４８】
上記のようにベルト本体２５の両端部に取付金具２６を取り付けたのち、図１４のようにして、当該取付金具２６のドア係止部２６１をドアＤの上下縁部に引っ掛けて係止させる。図１４においては、ドアＤの上縁部しか示していないが、下縁部についても同様である。尚、このとき、容易に係止、取り付けができるよう、上下両端の取付金具２６、３間の長さがドアＤの高さ寸法より少し長くなるように、ベルト本体２５の長さを調整しておく。
【００４９】
以上のようにして、２本のベルト本体２５をドアＤに取り付けた後、図１５に示すとおり、ベルト本体２５の両端部のいずれか（もしくは両方）を強く引っ張って（図１５中の矢印Ｘ）、ベルト本体２５がピンと張るようにする。これによって、ベルト本体２５は、その両端に取り付けた取付金具２６のドア係止部２６１が上下からドアＤを挟持するようにして、しっかりと固定される。
【００５０】
また、ベルト本体２５をピンと張ることによって、図１３の（ウ）に示すように、ベルト本体２５の先端部近くの一部２５１が、ベルト本体２５の取付金具２６、２６間にピンと張られた部分２５２と、取付金具２６の正面部２６１ｃの背面部との間に押圧、挟持される。それゆえ、収納装置１に様々な物品を収納し、ベルト本体２５に大きな荷重がかかった場合でも、ベルト本体２５が緩んで取付金具２６から抜け落ちてしまう恐れがない。
【００５１】
尚、上記のようにして取り付けたベルト本体２５が長過ぎ、端部が大きく余るようであれば、図１５に示すように、ハサミ等で切ってしまってもよい。
【００５２】
尚、この取付金具２６は、上記のほか、ステンレス、あるいは樹脂材料など、所定の強度を備えていればどのような材料で作製してもよい。また、取付金具２６におけるドア係止部２６１及び長さ調節手段２６２の形状、構成は上記のものに限られず、容易にドアＤ取り付け、取り外しが可能であり、またベルト本体２５を長さ調節可能に取り付けることができるものであれば、どのような形状、構成とすることもできる。
【００５３】
さらに、この実施形態においては、取付金具２６にベルトの長さ調節手段２６２を一体的に形成するようにしたが、長さ調節手段２６２を取付金具２６とは別体として設けるようにしてもよい。例えば、各種公知の金具等を利用してベルト長さ調節手段２６２とし、ベルト本体２５の中間部でベルト長さを調節できるようにすることもできる。また、当該金具２６を例えばベルトのバックルのように装飾的なものとして、デザイン性を向上させてもよい。
【００５４】
ところで、この実施形態における取付金具２６は、約１．５ｍｍの厚みを有し樹脂被覆を施したスチール板により作製されている。この取付金具２６は、図１６に示すとおり、ドアＤとドア枠Ｗの隙間（図１６中、矢印Ｙで示される間隔）に挟持部２６１ａが配置されるものであるから、前記隙間寸法よりも小さい厚み寸法とする必要がある。
【００５５】
以上のような構成を備え、ドアＤの壁面に取り付けられた２本のベルト部材２間に、上述した実施例１の場合と同様にして、収納部材３、４、および５が取り付けられ、各収納部材に様々な物品を収納することが可能となる。この収納装置１によれば、これまで活用されていなかったドアの壁面を有効に利用して様々な物品を収納、整理することができる。また、ベルト部材を挟持する取付手段を用いることで、収納部材をベルト部材の任意の位置に取り付けることが可能となる。それゆえ、収納する物品の形状や大きさなどに応じて収納部材の取付位置を自由に変えることができ、また、収納部材のベルト部材への取り付けが容易なものとなる。
【００５６】
以上、本発明に係る収納装置について、いくつかの実施形態を示して説明したが、本発明は、これらの実施形態に限られるものではなく、本発明の趣旨を逸脱しない範囲で様々に形態等を変更することが可能なものである。
【符号の説明】
【００５７】
１      収納装置
２      ベルト部材
３      収納部材（ウォールポケット）
４      収納部材（ハンガーバー）
５      収納部材（収納ボックス）
【図１】
2012016404.tif 000003
【図２】
2012016404.tif 000004
【図３】
2012016404.tif 000005
【図４】
2012016404.tif 000006
【図５】
2012016404.tif 000007
【図６】
2012016404.tif 000008
【図７】
2012016404.tif 000009
【図８】
2012016404.tif 000010
【図９】
2012016404.tif 000011
【図１０】
2012016404.tif 000012
【図１１】
2012016404.tif 000013
【図１２】
2012016404.tif 000014
【図１３】
2012016404.tif 000015
【図１４】
2012016404.tif 000016
【図１５】
2012016404.tif 000017
【図１６】
2012016404.tif 000018